(57)【要約】【課題】  魚が掛かったとき、僅かな当たりでも竿先または浮きに素早く伝えられ、且つ釣り針やハリスがコマセカゴ等に絡むのを未然に防止することができる釣り具を提供すること。【解決手段】  この釣り具は、道糸１とハリス２との間に接続されたガイド糸３と、このガイド糸３に移動可能に取り付けられたコマセカゴ４とを有し、このガイド糸３は、コマセカゴ４を貫通している。また、ガイド糸３とハリス２との間に天秤１５が設けられている。【選択図】      図１
2006187269.tif 000002
【特許請求の範囲】
【請求項１】
道糸とハリスとの間に接続されたガイド糸と、該ガイド糸に取り付けられたコマセカゴとを有し、前記コマセカゴがガイド糸上を移動可能なように前記ガイド糸が前記コマセカゴを貫通していることを特徴とする釣り具。
【請求項２】
前記ガイド糸がコマセカゴの内部に露出していることを特徴とする請求項１記載の釣り具。
【請求項３】
前記ガイド糸が金属線であることを特徴とする請求項１記載の釣り具。
【請求項４】
前記道糸とガイド糸との間および前記ガイド糸とハリスとの間にストッパが設けられ、前記コマセカゴは、前記ストッパ間をガイド糸に沿って移動可能であることを特徴とする請求項１記載の釣り具。
【請求項５】
前記コマセカゴの底面が水平面であることを特徴とする請求項１記載の釣り具。
【請求項６】
道糸と、この道糸に接続されたガイド糸と、該ガイド糸に接続された天秤と、該天秤に接続されたハリスと、前記ガイド糸に取り付けられたコマセカゴとを有し、前記コマセカゴがガイド糸上を移動可能なように前記ガイド糸が前記コマセカゴを貫通していることを特徴とする釣り具。
【発明の詳細な説明】
【技術分野】
【０００１】
本発明は、魚を寄せるための撒餌を収容するコマセカゴを有する釣り具の改良に関するものである。
【背景技術】
【０００２】
一般に、撒餌を収容したコマセカゴを道糸に取り付けるようにした釣り具は知られている。従来、餌付針収納放出カゴ、コマセカゴ外筒およびコマセカゴ内筒にパイプ天秤を貫通させ、これら餌付針収納放出カゴ、コマセカゴ外筒およびコマセカゴ内筒を一体化し、このパイプ天秤の中に道糸を通すようにした主に遠投時の仕掛けの安定性を向上させた構造を有する釣り具が知られている（例えば、特許文献１参照）。
【０００３】
しかしながら、上記の如き、従来技術では、餌付針収納放出カゴ、コマセカゴ外筒およびコマセカゴ内筒にパイプ天秤を貫通させ、これら餌付針収納放出カゴ、コマセカゴ外筒およびコマセカゴ内筒を一体化した構造を有するために構造が極めて複雑である上、道糸がパイプ天秤の中を通るために道糸がこのパイプ天秤によって切断され易く、且つ餌付針収納放出カゴ等の負荷が道糸に作用し、魚の当たりであると間違って判断してしまうという問題点があった。
【特許文献１】特開２００２−３１５４８７号公報
【発明の開示】
【発明が解決しようとする課題】
【０００４】
そこで、本発明が解決しようとする課題は、コマセカゴの負荷が道糸に作用することがなく、僅かな魚の当たりでも道糸に直接作用するようにし、且つ針糸並びにハリスが絡まないようにした簡易な構造の釣り具を提供することにある。
【課題を解決するための手段】
【０００５】
かかる目的を達成するために、本発明の一つの特徴による釣り具は、道糸とハリスとの間に接続されたガイド糸と、このガイド糸に取り付けられたコマセカゴとを有し、コマセカゴがガイド糸上を移動可能なようにガイド糸がコマセカゴを貫通している。
【０００６】
本発明の他の特徴による釣り具は、道糸と、この道糸に接続されたガイド糸と、このガイド糸に接続された天秤と、この天秤に接続されたハリスと、ガイド糸に移動可能に取り付けられたコマセカゴとを有し、コマセカゴがガイド糸上を移動可能なようにガイド糸がコマセカゴを貫通している。
【発明の効果】
【０００７】
本発明の一つの特徴によれば、コマセカゴがハリスに接続されたガイド糸上を移動可能なので、コマセカゴの負荷が道糸やハリスに加えられず、魚が掛かったとき、当たり“魚信”が僅かなものであっても竿先または浮きに素早く伝えられ、魚の当たりが感じられる。
【０００８】
また、本発明の他の特徴によれば、天秤によって釣り針やハリスがコマセカゴ等に絡むのを未然に防止することができる。
【０００９】
更に、ガイド糸がコマセカゴの内部に露出した状態で貫通しているだけなので、構造が簡単であると共にガイド糸に負荷が掛かりにくく切断される可能性も低い。
【発明を実施するための最良の形態】
【００１０】
以下、本発明の実施の形態を、図面に示された実施例に基づき詳細に説明する。図１には、本発明に係る釣り具の一実施例が示されており、この実施例における釣り具は、道糸１とハリス２との間に接続されたガイド糸３と、このガイド糸３に移動可能に取り付けられたコマセカゴ４とを有する。ガイド糸３は、コマセカゴ４の内部に露出した状態で上下方向に貫通している。ガイド糸３はコマセカゴ４の上下端部で拘束されてないので、コマセカゴ４の内部を何ら抵抗なく自由に移動可能である。尚、符号５は、ハリス２の先端に設けられた釣り針である。
【００１１】
ガイド糸３は、例えば、適宜の金属線から成っており、直線性を保つことが好ましい。図２に示すように、コマセカゴ４は、例えば、プラスチックから作られた略中空の円筒体（内筒４ａと外筒４ｂ）から成り、内部に魚を引き寄せるための撒餌（図示せず）が収容されている。コマセカゴ４の内筒４ａおよび外筒４ｂには撒餌を収容するための開口６ａ，６ｂがそれぞれ設けられ、内筒４ａおよび外筒４ｂを組み付けたのち、互いに円周方向に回転させることで開口６ａ，６ｂを合わせることができる。開口６ａ，６ｂからコマセカゴ４の内部に撒餌を収容したら、内筒４ａおよび外筒４ｂを再び回転させ、開口６ａ，６ｂの位置をずらせることで閉じることができる。コマセカゴ４には内部に収容された撒餌は、内筒４ａおよび外筒４ｂの全周に設けられた多数の小孔７から外部に少しずつ漏れ出て海中に撒かれる。この実施形態では前記ガイド糸３はコマセカゴ４の内部で撒餌の中に埋もれているが、海中ではコマセカゴ４に収容されている撒餌が浮き上がってばらばらになるので、ガイド糸３が移動する際にコマセカゴ４の内部の撒餌がガイド糸３に負荷を加えることにはならないと思われる。
【００１２】
道糸１とガイド糸３との間およびガイド糸３とハリス２との間、詳細には、ガイド糸３と後述する天秤との間にはストッパ８，９が設けられ、コマセカゴ４は、これらストッパ８，９間をガイド糸３に沿って移動可能である。
【００１３】
上方のストッパ８は、リングの形態であるが、下方向のストッパ９は、略広げた傘のような形状を有している。コマセカゴ４の底面１０には、このストッパ９が挿入可能なように、略円錐形の凹部１２（図２）が形成されている。従って、コマセカゴ４は、このストッパ９上に安定して載置可能である。
【００１４】
コマセカゴ４内には、図３に示すように、重錘１１が配置可能である。この重錘１１は、コマセカゴ４を適度な水中深さに沈めるためのものである。
【００１５】
本発明では、図１および図４に示すように、ハリス２や釣り針５が絡まない手段が設けられている。この手段は、一実施例において、ガイド糸３に接続された天秤１５から成っている。この天秤１５は、例えば、剛性の棒状体から成り、一端部がガイド糸３に、適宜の手段、例えば、リング１４を介して回転可能に取り付けられ、他端部１６がハリス２に固定されている。
【００１６】
この天秤１５は、図４に示す如く、約９０°上方に回動可能であり、コマセカゴ４が海中に早いスピードで沈んでいく際にコマセカゴ４の底面１０で直角に折れて水平方向に延びる。その際、コマセカゴ４の底面１０がストッパの働きをすると共に底面１０が水平面として形成されているので、天秤１５の水平姿勢が保持され、ハリス２や釣り針５をガイド糸３および道糸１から隔離することで道糸１に絡むのを防止することができる。また、ハリス２を所定の深さまで沈め、その位置で静止させておくと、図１に示されるように、やがて天秤１５が下方側に回動してまっすぐに延び同時にハリス２も下方に長く延びていく。
【００１７】
このような状態で少しずつ撒餌をしながら魚の当たりを待つ。そして、釣り針５に魚が掛かると、この魚の当たりは、ハリス２、天秤１５、ガイド糸３および道糸１を通して竿の先（図示せず）に直接伝えられる（図５参照）。即ち、ガイド糸３はコマセカゴ４の移動を伴うことなく、ガイド糸３のみがコマセカゴ４の内部を自由に移動するので、ガイド糸３にはコマセカゴ４の負荷が掛からない。従って、魚の当たりのみがガイド糸３を通じて手元に感じられ、魚のわずかな当たりでも正確に判別することができる。
【図面の簡単な説明】
【００１８】
【図１】本発明に係る釣り具の一実施例を示す立面図である。
【図２】図１に示された釣り具の一部の斜視図である。
【図３】コマセカゴの一部の断面図である。
【図４】天秤の作用を示す説明図である。
【図５】魚が掛かったときの作用を示す説明図である。
【符号の説明】
【００１９】
１  道糸
２  ハリス
３  ガイド糸
４  コマセカゴ
４ａ  内筒
４ｂ  外筒
５  釣り針
６ａ，６ｂ  開口
７  小孔
８、９  ストッパ
１０  底面
１２  凹部
１５  天秤
【図１】
2006187269.tif 000003
【図２】
2006187269.tif 000004
【図３】
2006187269.tif 000005
【図４】
2006187269.tif 000006
【図５】
2006187269.tif 000007